(57)【要約】【課題】縦方向に長尺なアスペクト比を有する縦向き画像を表示するための表示画面をそのまま利用して、横方向に長尺なアスペクト比を有する横向き画像を表示する場合であっても、ティアリングを生じさせることなく画像を表示する。【解決手段】（２ａ）に示すように、ＲＡＭ５からのデータの読み出しがＲＡＭ５の読み出しライン総数Ｒの１／２であるＲ／２行まで終了すると、次々画像データＰＣをＲＡＭ５の書き込み列ライン１〜Ｒ／２行までの記憶領域に書き込む。同様にして、（３ａ）に示すように、ＲＡＭ５からのデータの読み出しがＲＡＭ５の読み出しライン総数Ｒ行まで終了すると、次々画像データＰＣをＲＡＭ５の書き込み列ラインＲ／２＋１〜Ｒ行までの書き込みを実行する。【選択図】図４
2011174958.tif 000002
【特許請求の範囲】
【請求項１】
所定方向に長尺なアスペクト比を有する表示画面部と、
この表示画面部に対応する記憶領域を有し、画像を表す画像データを記憶する記憶部と、
この記憶部に書き込まれた画像データを１行ずつ前記表示画面部に転送する転送部と、
この転送部により転送された画像データに基づき、前記表示画面部を表示駆動する駆動部と、
前記記憶部の記憶領域を複数に分割し、分割された記憶領域に記憶されていた画像データの前記転送部による転送が終了する毎に、次に前記表示画面部に表示すべき画像を表す次画像データを、当該記憶領域に書き込む書込手段と、
を備えることを特徴とする表示装置。
【請求項２】
前記書込手段は、前記記憶部の記憶領域を二分割することを特徴とする請求項１記載の表示装置。
【請求項３】
前記書込手段は、前記転送部により前記画像データが１行ずつ前記表示画面部に転送される毎に、前記分割された記憶領域に一列ずつ次画像データを書き込むことを特徴とする請求項１又は２記載の表示装置。
【請求項４】
前記書込手段は、前記次画像データを、当該記憶領域に最大行数で書き込むことを特徴とする請求項１、２又は３記載の表示装置。
【請求項５】
前記所定の方向とは縦方向であることを特徴とする請求項１から４にいずれか記載の表示装置。
【請求項６】
所定方向に長尺なアスペクト比を有する表示画面部と、この表示画面部に対応する記憶領域を有し、画像を表す画像データを記憶する記憶部とを備える表示装置における画像表示方法であって、
前記記憶部に書き込まれた画像データを１行ずつ前記表示画面部に転送し、
この転送された画像データに基づき、前記表示画面部を表示駆動し、
前記記憶部の記憶領域を複数に分割し、分割された記憶領域に記憶されていた画像データの前記転送部による転送が終了する毎に、次に前記表示画面部に表示すべき画像を表す次画像データを、当該記憶領域に書き込む、
ことを特徴とする画像表示方法。
【発明の詳細な説明】
【技術分野】
【０００１】
本発明は、画面上に画像を表示する表示装置及び画像表示方法に関するものである。
【背景技術】
【０００２】
従来、例えば液晶表示装置としては、横方向に長尺なアスペクト比を有する横向き画像を専ら表示するための横長表示画面を有するものと、縦方向に長尺なアスペクト比を有する縦向き画像を専ら表示するための縦長表示画面を有するもの（例えば下記特許文献１参照）とが製造されている。
【０００３】
図５（ａ）は、縦方向に長尺なアスペクト比を有する縦向き画像を表示するための縦長表示画面を有する液晶表示装置の一例を示す図である。この液晶表装置５０は、縦長の表示画面５１を有する。そして、通常の使用形態としては縦長アスペクト比を有する画像Ｐ１を表示画面５１に表示させる。このとき、図５（ｂ）に示すように、次に表示させるべき画像の画像データである次画像データＰ２は、水平方向の１ラインずつ（１行ずつ）であって、順次垂直方向にてＲＡＭ５２に書き込まれる。また、ゲートスキャンも同様に最上端部から水平方向の１ラインずつであって、順次垂直方向に行われる。
【０００４】
したがって、図５（ｃ）に示すように、ＲＡＭ内において、ゲートスキャンよりも先に残りのデータを書き換えれば、ゲートスキャンに伴って読み出される１ラインのデータは、全て同一画像データの成分であることから、ティアリングが発生することはない。
【先行技術文献】
【特許文献】
【０００５】
【特許文献１】特開２０００−１７１８３０号公報
【発明の概要】
【発明が解決しようとする課題】
【０００６】
しかしながら、このような縦方向に長尺なアスペクト比を有する縦向き画像を専ら表示するための液晶表装置５０をそのまま利用して、図６（ａ）に示す横方向に長尺なアスペクト比を有する横向き画像Ｐ３を表示する装置に用いることが想定される。この場合、図６（ｂ）に示すように、ＲＡＭ５２への次画像データＰ４の書き込みは、右端部から垂直方向の１ラインずつ（１列ずつ）であって、順次左方向に書き込まれることになる。しかし、ゲートスキャンは、図５の場合と同様に水平方向の１ラインずつであって、順次垂直方向に行われる（図５（ｂ）（ｃ））。その結果、図６（ｃ）に示すように、斜め線からなるティアリングＴが発生する。
【０００７】
すなわち、ゲートスキャンとＲＡＭへの書き出しを同時にした場合について説明すると、１ラインの画像データの読み出し時は、図７（ａ）に示すように、１ライン中に前の画像データ成分ＤＯ１と次の画像データ成分ＤＮ１とが混在する。２ラインの画像データの読み出し時は、図７（ｂ）に示すように、１ライン中に前の画像データ成分ＤＯ２と次の画像データの成分ＤＮ２とが混在し、３ラインの画像データの読み出し時は、図７（ｃ）に示すように、１ライン中に前の画像データの成分ＤＯ３と次の画像データの成分ＤＮ３とが混在し、４ラインの画像データの読み出し時は、図７（ｄ）に示すように、１ライン中に前の画像データの成分ＤＯ４と次の画像データの成分ＤＮ４とが混在する。
【０００８】
このため、表示画面５１において、前の画像データの成分ＤＯ１，ＤＯ２・・・と、後の画像データの成分ＤＮ１、ＤＮ２・・・との境界線上に斜状の線分からなる斜め線ティアリングＴが生じてしまう。
【０００９】
本発明は、かかる従来の課題に鑑みてなされたものであり、所定方向に長尺なアスペクト比を有する縦向き画像を表示するための表示画面をそのまま利用して、他の方向に長尺なアスペクト比を有する画像を表示する場合であっても、ティアリングを生じさせることない表示装置及び画像表示方法を提供することを目的とする。
【課題を解決するための手段】
【００１０】
前記課題を解決するため、請求項１記載の発明に係る表示装置にあっては、請求項１記載の発明に係る表示装置にあっては、所定方向に長尺なアスペクト比を有する表示画面部と、この表示画面部に対応する記憶領域を有し、画像を表す画像データを記憶する記憶部と、この記憶部に書き込まれた画像データを１行ずつ前記表示画面部に転送する転送部と、この転送部により転送された画像データに基づき、前記表示画面部を表示駆動する駆動部と、前記記憶部の記憶領域を複数に分割し、分割された記憶領域に記憶されていた画像データの前記転送部による転送が終了する毎に、次に前記表示画面部に表示すべき画像を表す次画像データを、当該記憶領域に書き込む書込手段と、を備えることを特徴とする。
【００１１】
また、請求項２記載の発明に係る表示装置にあっては、前記書込手段は、前記記憶部の記憶領域を二分割することを特徴とする。
【００１２】
また、請求項３記載の発明に係る表示装置にあっては、前記書込手段は、前記転送部により前記画像データが１行ずつ前記表示画面部に転送される毎に、前記分割された記憶領域に一列ずつ次画像データを書き込むことを特徴とする。
【００１３】
また、請求項４記載の発明に係る表示装置にあっては、前記書込手段は、前記次画像データを、当該記憶領域に最大行数で書き込むことを特徴とする。
【００１４】
また、請求項５記載の発明に係る表示装置にあっては、前記所定の方向とは縦方向であることを特徴とする。
【００１５】
また、請求項６記載の発明に係る画像表示方法にあっては、所定方向に長尺なアスペクト比を有する表示画面部と、この表示画面部に対応する記憶領域を有し、画像を表す画像データを記憶する記憶部とを備える表示装置における画像表示方法であって、前記記憶部に書き込まれた画像データを１行ずつ前記表示画面部に転送し、この転送された画像データに基づき、前記表示画面部を表示駆動し、前記記憶部の記憶領域を複数に分割し、分割された記憶領域に記憶されていた画像データの前記転送部による転送が終了する毎に、次に前記表示画面部に表示すべき画像を表す次画像データを、当該記憶領域に書き込む、ことを特徴とする。
【発明の効果】
【００１６】
本発明によれば、所定方向に長尺なアスペクト比を有する縦向き画像を表示するための表示画面をそのまま利用して、他の方向に長尺なアスペクト比を有する横向き画像を表示する場合であっても、ティアリングを生じさせることなく画像を表示することができる。
【図面の簡単な説明】
【００１７】
【図１】本発明の一実施の形態にかかる液晶表示装置の回路構成の一例を示すブロック図である。
【図２】ＴＦＴ−ＬＣＤの液晶パネルの基本構成を示す回路図である。
【図３】ＴＧ回路の動作を示すフローチャートである。
【図４】本実施の形態の動作を示す遷移図である。
【図５】縦方向に長尺なアスペクト比を有する縦向き画像を表示するための縦長表示画面を有する液晶表示装置及びその表示例を示す図である。
【図６】縦方向に長尺なアスペクト比を有する縦向き画像を専ら表示するための液晶表装置をそのまま利用して、横方向に長尺なアスペクト比を有する横向き画像を表示した場合を示す図である。
【図７】ティアリング発生状況を示す図である。
【発明を実施するための形態】
【００１８】
以下、本発明の実施形態について説明する。図１は、本実施の形態における液晶表示装置１の回路構成の一例を示す図である。液晶表示装置１は、液晶表示画面部２、ゲートドライバ３、ソースドライバ４、ＲＡＭ５、データＩ／Ｏ６、タイミング発生回路（以下、ＴＧ回路７という）、及び制御Ｉ／Ｏ８を具備する。
【００１９】
液晶表示画面部２は、縦方向に長尺なアスペクト比を有する縦向き画像を専ら表示するため、縦方向に長尺なアスペクト比を有する。また、液晶表示画面部２は、ゲートドライバ３及びソースドライバ４から供給される信号に応答して画像を表示するものであって、本実施の形態においては、アクティブマトリックス駆動をするＴＦＴ−ＬＣＤ（薄膜トランジスタタイプの液晶パネル）を用いる。ＴＦＴ−ＬＣＤは、薄膜トランジスタ（ＴＦＴ）と、液晶画素とをガラス基板上にアレイ状に配列したパネルである。
【００２０】
すなわち、液晶表示画面部２は、対向するガラス基板と、カラーフィルタと、バックライトと、を主に具備し、その一方のガラス基板上の水平方向に走査線（ゲート線）が、垂直方向にデータ線が、それぞれ配列され、ゲート線とデータ線の交点に該当する位置に個々の画素電極が配置され、他方のガラス基板に共通電極とカラーフィルタが形成されている。ガラス基板間には液晶が充填され、ゲート線・データ線から供給される信号（電圧）に応じて画素電極と共通電極間の液晶の配列を変化させ、バックライトから入射される光の透過量を制御する。また、他方のガラス基板には、赤（Ｒ）、緑（Ｇ）、青（Ｂ）のカラーフィルターが配置され、各画素を透過する光量に応じた色の濃淡を示し、その組み合わせによって、様々な色合いの表示を実現する。
【００２１】
データＩ／Ｏ６は、外部から入力される信号をＲＡＭ５に出力するものであり、また、制御Ｉ／Ｏ８は、外部から入力される表示信号や制御信号をＴＧ回路７に出力したり、ＴＧ回路７から出力される制御信号を外部に出力したりする。
【００２２】
図２は、液晶表示画面２すなわちＴＦＴ−ＬＣＤの基本構成を示す回路図である。ゲート線１０とデータ線１１の交点に該当する位置に、ＴＦＴ１２と、ＴＦＴのドレイン電極Ｄに接続された画素電極と、共通電極１３に挟まれた液晶からなる画素容量１４、及び絶縁膜を介して共通電極１３に接続された補助容量電極からなる補助容量１５が配置され、ゲート線１０はＴＦＴ１２のゲート電極Ｇに接続され、データ線１１はＴＦＴ１２のソース電極Ｓに接続される。ゲート線１０に順次パルス電圧（走査信号）を印加すると、これに接続されるＴＦＴ１２のゲート電極Ｇに電圧がかかり、ＴＦＴ１２のソース電極Ｓ・ドレイン電極Ｄ間にチャネルが形成される。同時に、データ線１１から信号電圧が印加されると、ＴＦＴ１２のソース・ドレイン間に電流が流れ、画素容量１４及び補助容量１５に電荷が蓄積される。１ラインの走査が終了し、ＴＦＴ１２のゲートにかかる電圧が中断されると、ＴＦＴ１２がオフ状態となり、ソース・ドレイン間の電流の流れが止まり、画素容量１４及び補助容量１５に電荷が保持される。画素電極と共通電極に挟まれた液晶には、画素容量１４に充電された電荷により電圧が印加されて配列を変化させることとなる。このように、ＴＦＴ−ＬＣＤでは、ＴＦＴがスイッチング素子となって、画素にかかる電圧を制御する。
【００２３】
ゲートドライバ３は、液晶表示画面部２の個々のゲート線１０に対して順次走査信号を印加する。具体的には、シフトレジスタを有し、ＴＧ回路７から指示されるタイミングでゲート線１本毎に走査信号を印加し、全てのゲート線１０に順に走査信号を印加する。
【００２４】
ソースドライバ４は、液晶表示画面部２の個々のデータ線１１に対して、信号電圧を供給する。具体的には、シフトレジスタを有し、ＴＧ回路７から指定されるタイミングで、後述するように画像データが記憶されるＲＡＭ５から転送される画像データに基づいて生成した信号電圧を、データ線１１に印加する。なお、ＴＧ回路７は、ゲートドライバ３やソースドライバ４によるゲート線１０、データ線１１のシフトに応答してＲＡＭ５から読み出すデータのアドレスを演算する。そして、データを読み出すタイミングで、ＲＡＭ５からデータを読み出してソースドライバ４に転送させる。また、ＴＧ回路７からソースドライバ４へ、各色画素の設定値が表示データ信号として印加される。
【００２５】
ＲＡＭ５は、液晶表示画面部２の各画素に対応する記憶領域を有し、データＩ／Ｏ６から入力される表示データ信号をＴＧ回路７により指定されるアドレスに書き込み、また、ＴＧ回路７から指定されるアドレスの表示データ信号を読み出して、ソースドライバ４に出力する。なお、ＲＡＭ５は、例えば、液晶表示画面部２が１３２×１７６のドット数（１ドット＝赤・緑・青の３画素分）を有する場合には、例えば、１３２×１７６×１６（ビット）の記憶容量を有する。１６ビットの内訳は、赤と青がそれぞれ５ビット、緑が６ビットである。すなわち、赤と青については、２５階調まで表現を可能とし、緑については、２６階調までの表現を可能としている。
【００２６】
ＴＧ回路７は、タイミングパルスを生成して、ゲートドライバ３やソースドライバ４の駆動タイミングを指示したり、ＲＡＭ５の読み書き動作のタイミングを制御する等の処理を行う。また、ＲＡＭ５への読み出し、及び、書き込む際のアドレス演算処理、などの動作、処理を行う。
【００２７】
次に、以上の構成にかかる縦方向に長尺なアスペクト比を有する縦向き画像を表示するための液晶表示装置１において、横方向に長尺なアスペクト比を有する横向き画像を表示する場合における動作について説明する。したがって、以下の説明において、画像データは横向き画像を表すものであり、液晶表示画面部２に既に表示されている画像の画像データを画像データＰＡといい、現画像データＰＡの次に表示する画像の画像データを次画像データＰＢといい、次画像データＰＢによる画像の次に表示する画像の画像データを次々画像データＰＣという。
【００２８】
図３（ａ）（ｂ）は、ＴＧ回路７の動作を示すフローチャートである。また、図４は、本実施の形態の動作を示す図であり、左列（（ａ）列）がＲＡＭ５の記憶状態を経時的に示し、右列（（ｂ）列）が対応する液晶表示画面部２の表示状態を経時的に示す。図４において、（１ａ）は、ＲＡＭ５に次画像データＰＢの全データを格納し終わった状態を示す。
【００２９】
この状態になると、ＴＧ回路７は、図３（ａ）のフローチャートに示すように、ＲＡＭ５の読み出しラインアドレスを指定する変数ｒを「１」にして（ステップＳＡ１）、この変数ｒによりスキャン位置（１ライン目）を指定する。また、ＴＧ回路７は、ゲート線アドレスを記憶する変数ｇを「１」にして（ステップＳＡ２）、１番目のゲート線１０に走査信号を印加する指示をゲートドライバ３に出力する。
【００３０】
一方、図４（１ｂ）に示すように、液晶表示画面部２は、現画像データＰＡを画素が保持しているが、前述したＴＧ回路７による１番目のゲート線１０に走査信号を印加する指示により、次画像データＰＢの１ライン目が書き込み中の状態となる。
【００３１】
すると、ＴＧ回路７は、ＲＡＭ５の読み出しラインアドレスを指定する変数ｒをインクリメントして「ｒ＋１」にし（ステップＳＡ３）、この変数ｒ＝ｒ＋１により、スキャン位置（次ライン目）を指定する。また、ＴＧ回路７は、ゲート線アドレスを記憶する変数ｇをインクリメントして「ｇ＋１」にし（ステップＳＡ４）、ｇ＋１番目のゲート線１０に走査信号を印加する指示をゲートドライバ３に出力する。このＴＧ回路７によるｇ＋１番目のゲート線１０に走査信号を印加する指示により、次画像データＰＢのｇ＋１ライン目が書き込み中の状態となる。
【００３２】
次に、ＴＧ回路７は、変数ｒの値がＲ／２となったか否かを判断する動作を行う（ステップＳＡ５）。ここで、「Ｒ」はＲＡＭ５の読み出しラインアドレスを指定される読み出し行ラインの総数であり、液晶表示画面２の走査線（ゲート線１０）の総数でもある。つまり、ステップＳＡ５では、図４（２ａ）に示すように、ＲＡＭ５からのデータの読み出しがＲＡＭ５の読み出しライン行総数Ｒの１／２であるＲ／２行まで終了したか否かを判断する動作を行う。
【００３３】
そして、ｒ＝Ｒ／２となるまで、ステップＳＡ３とステップＳＡ４の動作を繰り返す。したがって、この動作が繰り返されることにより、ＲＡＭ５からは順次１行ずつ次々画像データＰＣが読み出され、液晶表示画面２においては順次ゲート線１０に走査信号が印加されて、次画像データＰＢが１ラインずつ書き込まれていく。
【００３４】
その結果、図４（２ａ）に示すように、ＲＡＭ５からのデータの読み出しがＲＡＭ５の読み出しライン総数Ｒの１／２であるＲ／２行まで終了すると、つまりＲＡＭ５の１／２領域までの読み出しが終了すると、次々画像データＰＣをＲＡＭ５の書き込み列ライン１〜Ｒ／２行までの記憶領域に書き込むことを許可する信号である第１許可信号を発生する（ステップＳＡ６）。
【００３５】
このとき、図４（２ｂ）に示すように、液晶表示画面部２は、現画像データＰＡを画素が保持しているが、ＴＧ回路７によるＲ／２番目のゲート線１０に走査信号を印加する指示により、次画像データＰＢのＲ／２番目ラインまでの書き込みが終了した状態となる。
【００３６】
次に、ＴＧ回路７は、ＲＡＭ５の読み出しラインアドレスを指定する変数ｒをインクリメントして「ｒ＋１」にし（ステップＳＡ７）、この変数ｒ＝ｒ＋１により、スキャン位置（次ライン目）を指定する。また、ＴＧ回路７は、ゲート線アドレスを記憶する変数ｇをインクリメントして「ｇ＋１」にし（ステップＳＡ８）、ｇ＋１番目のゲート線１０に走査信号を印加する指示をゲートドライバ３に出力する。このＴＧ回路７によるｇ＋１番目のゲート線１０に走査信号を印加する指示により、次画像データＰＢのｇ＋１ライン目が書き込み中の状態となる。
【００３７】
次に、ＴＧ回路７は、変数ｒの値がＲとなったか否かを判断する動作を行う（ステップＳＡ９）。ここで、「Ｒ」は前述のように、ＲＡＭ５の読み出しラインアドレスを指定される読み出し行ラインの総数であり、液晶表示画面２の走査線（ゲート線１０）の総数でもある。つまり、ステップＳＡ９では、図４（３ａ）に示すように、ＲＡＭ５からのデータの読み出しがＲＡＭ５の読み出しライン行総数であるＲ行まで終了したか否かを判断動作を行う。
【００３８】
そして、ｒ＝Ｒとなるまで、ステップＳＡ７とステップＳＡ８の動作を繰り返す。したがって、この動作が繰り返されることにより、ＲＡＭ５からは順次１行ずつ次々画像データＰＣが読み出され、液晶表示画面２においては順次ゲート線１０に走査信号が印加されて、次画像データＰＢが１ラインずつ書き込まれていく。
【００３９】
その結果、図４（３ａ）に示すように、ＲＡＭ５からのデータの読み出しがＲＡＭ５の読み出しライン総数Ｒ行まで終了すると、次々画像データＰＣをＲＡＭ５の書き込み列ラインＲ／２＋１〜Ｒ行までの書き込みを許可する信号である第２許可信号を発生する（ステップＳＡ１０）。
【００４０】
このとき、図４（３ｂ）に示すように、液晶表示画面部２は、ＴＧ回路７によるＲ番目のゲート線１０に走査信号を印加する指示により、次画像データＰＢのＲ番目ラインまでの書き込みが終了した状態となる。これにより、次画像データＰＢの最終ラインまでの読み出しが完了し、図４（３ｂ）に示すように、液晶表示画面部２には、最終ラインまでを含む次画像データＰＢに基づく画像全体が表示されることとなる。
【００４１】
しかる後に、ＴＧ回路７は、前述したステップＳＡ１からの動作を繰り返す。
【００４２】
また、ＴＧ回路７は、以上に説明した図３（ａ）のフローチャートに示した動作と並行して、図３（ｂ）のフローチャートに示す動作を行う。すなわち、前記ステップＳＡ６での動作により前記第１許可信号を発生済みであるか否かをチェックする動作を行う（ステップＳＢ１）。第１許可信号が発生済みであるならば、ＴＧ回路７は、ＲＡＭ５の読み出しラインアドレスを指定する変数ｗをに初期値「０」を設定する（ステップＳＢ２）。
【００４３】
引き続き、ＴＧ回路７は、変数ｗをインクリメントして「１」にし、ＲＡＭ５の書き込み列ラインを指定する（ステップＳＢ３）。このとき、ＴＧ回路７は、書き込み行数をＲ／２に制限して、次々画像データＰＣを書き込む（ステップＳＢ４）。
【００４４】
次に、ＴＧ回路７は、変数ｗの値がＲＡＭ５における列の総数であるｍとなったか否かをチェックする動作を行う（ステップＳＢ５）。ｗ＝ｍとなっていないならば、ＴＧ回路７は、ｗ＝ｍとなるまで、図３（ａ）のフローチャートに示した書き込み動作と同期して、ステップＳＢ３及びステップＳＢ４の動作を繰り返す。
【００４５】
つまり、書き込み行数Ｒ／２までの記憶領域に制限して、ＲＡＭ５に次々画像データＰＣを垂直方向の１ラインずつであって、順次水平方向に書き込む。これにより、図４（２ａ）に双方向矢印で示すように、ＲＡＭ５において既に次画像データＰＢの読み出しを完了している１〜１〜Ｒ／２行までに、次々画像データＰＣが書き込まれる。
【００４６】
このようにして、ＲＡＭ５において読み出しラインに接触しないように書き込みを行ってゆくと、やがて変数ｗの値がＲＡＭ５における列の総数であるｍとなる（ステップＳＢ７；ＹＥＳ）。すると、ＴＧ回路７は、前記ステップＳＡ１０での動作により前記第２許可信号を発生済みであるか否かをチェックする動作を行う（ステップＳＢ６）。第１許可信号が発生済みであるならば、ＴＧ回路７は、ＲＡＭ５の読み出しラインアドレスを指定する変数ｗをに初期値「０」を設定する（ステップＳＢ７）。
【００４７】
引き続き、ＴＧ回路７は、変数ｗをインクリメントして「１」にし、ＲＡＭ５の書き込み列ラインを指定する（ステップＳＢ８）。このとき、ＴＧ回路７は、書き込み行数をＲ／２＋１〜Ｒに制限して、次々画像データＰＣを書き込む（ステップＳＢ９）。
【００４８】
次に、ＴＧ回路７は、変数ｗの値がＲＡＭ５における列の総数であるｍとなったか否かをチェックする動作を行う（ステップＳＢ１０）。ｗ＝ｍとなっていないならば、ＴＧ回路７は、ｗ＝ｍとなるまで、図３（ａ）のフローチャートに示した書き込み動作と同期して、ステップＳＢ８及びステップＳＢ９の動作を繰り返す。
【００４９】
つまり、書き込み行数Ｒ／２＋１〜Ｒの記憶領域に制限して、ＲＡＭ５に次々画像データＰＣを垂直方向の１ラインずつであって、順次水平方向に書き込む。すなわち、前記ステップＳＢ３及びステップＳＢ４の繰り返し動作により、ＲＡＭ５の書き込み列ラインＲ／２までへの次々画像データＰＣの書き込みを行ったことから、残る列ラインＲ／２＋１〜Ｒまでに、ＲＡＭ５に次々画像データＰＣを垂直方向の１ラインずつであって、順次水平方向に書き込む。
【００５０】
これにより、図４（３ａ）に双方向矢印で示すように、ＲＡＭ５において既に次画像データＰＢの読み出しを完了しているＲ／２＋１〜Ｒ行までに、次々画像データＰＣが書き込まれる。このようにして、ＲＡＭ５において読み出しラインに接触しないように書き込みを行ってゆくと、やがて変数ｗの値がＲＡＭ５における列の総数であるｍとなる（ステップＳＢ１０；ＹＥＳ）。すると、ＴＧ回路７は、前述したステップＳＢ１からの動作を再開する。
【００５１】
したがって、本実施の形態によれば、縦方向に長尺なアスペクト比を有する縦向き画像を表示するための液晶表示画面部２をそのまま利用して、横方向に長尺なアスペクト比を有する横向き画像を表示する場合であっても、時間的に相前後する画像データを混在させることなくＲＡＭ５から読み出すことができる。よって、相前後する画像データが混在した状態で読み出されて液晶表示画面部２に転送されることに起因するティアリングを防止することができる。
【００５２】
なお、本実施の形態においては、ＲＡＭ５の記憶領域を最小分割数である二分割にして、画像データの読み出しを終了する毎に当該記憶領域への書き込みを行うようにしたことから、ＴＧ回路７の動作を単純化することができる。しかし、ＲＡＭ５の記憶領域を三分割する等、更に複数に分割して、画像データの読み出しを終了する毎に当該読み出しを終了した記憶領域への書き込みを行うようにしてもよい。これにより、各記憶領域への書き込みを細分化して、処理速度を高めることができる。
【００５３】
また、ＲＡＭ５読み出しを終了した記憶領域の全域に次々画像データＰＣを書き込むようにしたが、マージンを持たせて最大行数以下で次々画像データＰＣを当該記憶領域に書き込み、ステップＳＡ１に戻る直前に、残りの次々画像データＰＣを全て書き込むようにしてもよい。このようにすれば、マージンにより、相前後する画像データが混在した状態で読み出されて液晶表示画面部２に転送されることを確実に回避することができ、ティアリングをより確実に防止することができる。
【００５４】
また、本実施の形態においては、縦方向に長尺なアスペクト比を有する縦向き画像を表示するための液晶表示画面部をそのまま利用して、横方向に長尺なアスペクト比を有する横向き画像を表示する場合について説明した。しかし、これとは逆に、横方向に長尺なアスペクト比を有する横向き画像を表示するための液晶表示画面部をそのまま利用して、縦方向に長尺なアスペクト比を有する縦向き画像を表示する場合であっても、本発明を適用することにより、同様の効果を得ることができる。
【符号の説明】
【００５５】
１    液晶表示装置
２    液晶表示画面部
３    ゲートドライバ
４    ソースドライバ
５    ＲＡＭ
６    データＩ／Ｏ
７    ＴＧ回路
８    制御Ｉ／Ｏ
１０    ゲート線
１１    データ線
ＰＡ    現画像データ
ＰＢ    次画像データ
ＰＣ    次々画像データ
【図１】
2011174958.tif 000003
【図２】
2011174958.tif 000004
【図３】
2011174958.tif 000005
【図４】
2011174958.tif 000006
【図５】
2011174958.tif 000007
【図６】
2011174958.tif 000008
【図７】
2011174958.tif 000009